【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】
データ提供装置、データ処理装置および管理装置を有するデータ提供システムにおいて、
前記データ提供装置は、コンテンツデータと、当該コンテンツデータの取り扱いを示す権利書データとを前記データ処理装置に配給し、前記権利書データの正当性を証明することを前記管理装置に要求し、
前記データ処理装置は、前記配給を受けた権利書データに基づいて前記配給を受けた前記コンテンツデータの利用を行い、
前記管理装置は、前記データ提供装置および前記データ処理装置を管理し、前記データ提供装置からの要求に応じて、前記権利書データの正当性を証明する
データ提供システム。
【請求項２】
前記データ提供装置は、前記権利書データと、自らの識別子と、少なくとも前記権利書データに対して自らの秘密鍵データを用いて作成した署名データとを格納したモジュールを前記管理装置に送信して前記要求を行う
請求項１に記載のデータ提供システム。
【請求項３】
前記管理装置は、配信鍵データを管理し、当該配信鍵データを前記データ処理装置に配給し、前記データ提供装置からの要求に応じて、前記権利書データに対して自らの秘密鍵データを用いて作成した署名データを生成し、当該生成した署名データと前記権利書データとを格納したモジュールを前記配信鍵データを用いて暗号化して前記データ提供装置に送信し、
前記データ提供装置は、前記管理装置から受信したモジュールを前記データ処理装置に配給し、
前記データ処理装置は、前記データ提供装置から受信した前記モジュールを、前記配信鍵データを用いて復号し、当該モジュールに格納された前記署名データの正当性を前記管理装置の公開鍵データを用いて検証し、正当であると判断した場合に、前記モジュールに格納された権利書データに基づいて前記配給を受けた前記コンテンツデータの利用を行う
請求項１に記載のデータ提供システム。
【請求項４】
前記データ処理装置は、前記権利書データに基づいて、前記配給を受けたコンテンツデータの購入形態および利用形態の少なくとも一方を決定し、当該決定した購入形態および利用形態の少なくとも一方の履歴を示す履歴データを前記管理装置に送信し、
前記管理装置は、受信した前記履歴データに基づいて、前記データ処理装置における前記コンテンツデータの前記購入および前記利用に伴って得られた利益を、前記データ提供装置の関係者に分配するための利益分配処理を行う
請求項１に記載のデータ提供システム。
【請求項５】
コンテンツデータと当該コンテンツデータの取り扱いを示す権利書データとを配給するデータ提供装置と、前記配給を受けた権利書データに基づいて前記配給を受けた前記コンテンツデータの利用を行うデータ処理装置とを管理する管理装置であって、
前記データ提供装置からの要求に応じて、前記権利書データの正当性を証明する
管理装置。
【請求項６】
データ提供装置、データ配給装置、データ処理装置および管理装置を有するデータ提供システムにおいて、
前記データ提供装置は、コンテンツデータと、当該コンテンツデータの取り扱いを示す権利書データとを前記データ配給装置に提供し、前記権利書データの正当性を証明することを前記管理装置に要求し、
前記データ配給装置は、前記提供されたコンテンツデータおよび前記権利書データを前記データ処理装置に配給し、
前記データ処理装置は、前記配給を受けた権利書データに基づいて前記配給を受けた前記コンテンツデータの利用を行い、
前記管理装置は、前記データ提供装置および前記データ処理装置を管理し、前記データ提供装置からの要求に応じて、前記権利書データの正当性を証明する
データ提供システム。
【請求項７】
前記データ処理装置は、前記権利書データに基づいて、前記配給を受けたコンテンツデータの購入形態および利用形態の少なくとも一方を決定し、当該決定した購入形態および利用形態の少なくとも一方の履歴を示す履歴データを前記管理装置に送信し、
前記管理装置は、受信した前記履歴データに基づいて、前記データ処理装置における前記コンテンツデータの前記購入および前記利用に伴って得られた利益を、前記データ提供装置および前記データ配給装置の関係者に分配するための利益分配処理を行う
請求項６に記載のデータ提供システム。
【請求項８】
前記データ処理装置は、前記データ配給装置と通信を行う第１のモジュールと、前記配給を受けた前記権利書データに基づいて前記配給を受けた前記コンテンツデータの購入形態および利用形態の少なくとも一方を決定し、当該決定した購入形態および利用形態の履歴を示す履歴データを前記管理装置に送信する第２のモジュールとを有し、
前記管理装置は、データ提供装置、データ配給装置およびデータ処理装置を管理し、前記第２のモジュールから受信した前記履歴データに基づいて、前記データ処理装置が前記コンテンツデータの前記配給を受けたこと、および、前記コンテンツデータを前記購入および前記利用したことに伴って得られた利益を前記データ提供装置および前記データ配給装置の関係者に分配するための利益分配処理を行う
請求項６に記載のデータ提供システム。
【請求項９】
データ提供装置、データ処理装置および管理装置を用いたデータ提供方法において、
コンテンツデータと、当該コンテンツデータの取り扱いを示す権利書データとを前記データ提供装置から前記データ処理装置に配給し、
前記データ処理装置において、前記配給を受けた権利書データに基づいて前記配給を受けた前記コンテンツデータの利用を行い、
前記データ提供装置からの要求に応じて、前記管理装置において前記権利書データの正当性を証明する
データ提供方法。
【請求項１０】
データ提供装置、データ配給装置、データ処理装置および管理装置を用いたデータ提供方法において、
前記データ提供装置から前記データ配給装置に、コンテンツデータと、当該コンテンツデータの取り扱いを示す権利書データとを提供し、
前記データ配給装置から前記データ処理装置に、前記提供されたコンテンツデータおよび前記権利書データを配給し、
前記データ処理装置において、前記配給を受けた権利書データに基づいて前記配給を受けた前記コンテンツデータの利用を行い、
前記データ提供装置からの要求に応じて、前記管理装置において、前記権利書データの正当性を証明する
データ提供方法。
【手続補正２】
【補正対象書類名】明細書
【補正対象項目名】００１１
【補正方法】変更
【補正の内容】
【００１１】
本発明は上述した従来技術の問題点に鑑みてなされ、コンテンツプロバイダの権利者（関係者）の利益を適切に保護できるデータ提供システム、その方法および管理装置を提供することを目的とする。
また、本発明は、コンテンツプロバイダの権利者の利益を保護するための監査の負担を軽減できるデータ提供システム、その方法および管理装置を提供することを目的とする。
【手続補正３】
【補正対象書類名】明細書
【補正対象項目名】００１２
【補正方法】変更
【補正の内容】
【００１２】
【課題を解決するための手段】
上述した従来技術の問題点を解決し、上述した目的を達成するために、本発明のデータ提供システムは、データ提供装置、データ処理装置および管理装置を有するデータ提供システムであって、前記データ提供装置は、コンテンツデータと、当該コンテンツデータの取り扱いを示す権利書データとを前記データ処理装置に配給し、前記権利書データの正当性を証明することを前記管理装置に要求し、前記データ処理装置は、前記配給を受けた権利書データに基づいて前記配給を受けた前記コンテンツデータの利用を行い、前記管理装置は、前記データ提供装置および前記データ処理装置を管理し、前記データ提供装置からの要求に応じて、前記権利書データの正当性を証明する。
このとき、前記管理装置による前記権利書データの正当性の証明は、例えば、権利書データに対しての前記管理装置の署名データを作成することによって行われる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
また、本発明の管理装置は、コンテンツデータと当該コンテンツデータの取り扱いを示す権利書データとを配給するデータ提供装置と、前記配給を受けた権利書データに基づいて前記配給を受けた前記コンテンツデータの利用を行うデータ処理装置とを管理する管理装置であって、前記データ提供装置からの要求に応じて、前記権利書データの正当性を証明する。
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
また、本発明のデータ提供方法は、データ提供装置、データ処理装置および管理装置を用いたデータ提供方法であって、コンテンツデータと、当該コンテンツデータの取り扱いを示す権利書データとを前記データ提供装置から前記データ処理装置に配給し、前記データ処理装置において、前記配給を受けた権利書データに基づいて前記配給を受けた前記コンテンツデータの利用を行い、前記データ提供装置からの要求に応じて、前記管理装置において前記権利書データの正当性を証明する。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】